(57)【特許請求の範囲】
【請求項１】
不透液性のバックシートと、前記不透液性のバックシートの一方の面に保持された吸収体と、この吸収体を挟んでバックシートに重ねられた透液性の表面シートとから構成された吸収性物品において、
前記透液性の表面シートを含めず前記吸収体に多数の押え用エンボス凹部が形成されるとともに、該押え用エンボス凹部は平面視形状が直線を含まず且つ窪みが無い楕円形状に形成され、前記押え用エンボス凹部は互いに離間して配置されるとともに、排泄口に対応する部分以外の領域に設けられ、かつ前記押え用エンボス凹部は、一定の配列ピッチで並んだ押え用エンボス凹部の列を横に並べるとともに、押え用エンボス凹部の配列位相が隣接する列どうしでずれた状態となっており、
前記排泄口に対応する部分を除く領域の幅方向における中間部と、その両脇の側部とに画成し、前記中間部においては、前記押え用エンボス凹部の向きをその長手方向が吸収性物品の幅方向に沿う向きに配列し、前記側部においては、前記押え用エンボス凹部の向きをその長手方向が吸収性物品の長手方向に沿う向きに配列し、かつ前記中間部における押え用エンボス凹部の前後方向と左右方向の配列ピッチを前記側部における押え用エンボス凹部よりも大きく設定してあることを特徴とする吸収性物品。
【請求項２】
請求項１に記載した吸収性物品において、押え用エンボス凹部の底面の最大幅が４ｍｍ未満であることを特徴とする吸収性物品。
【請求項３】
請求項１から２のいずれかに記載した吸収性物品において、押え用エンボス凹部が形成された領域における前記押え用エンボス凹部による圧搾面積率が３％以上３０％以下であることを特徴とする吸収性物品。
【請求項４】
請求項１から３のいずれかに記載した吸収性物品において、押え用エンボス凹部が、突出長１ｍｍ以上のエンボス形成突起を備えたエンボスローラーによって形成されたことを特徴とする吸収性物品。
【発明の詳細な説明】
【０００１】
【発明の属する技術分野】
本発明は、吸収性物品に係り、特に、生理用ナプキンや紙おむつ等、肌に直接接する状態で装用する衛生保健用具その他のものに適した吸収性物品に関するものである。
【０００２】
【従来の技術】
例えば、生理用ナプキンや紙おむつ等の衛生具は、通常、ベースシートとしての不透液性バックシートの内面に経血や尿などを貯留するための吸収体を設けた構造になっており、通常、吸収体は透液性を有するトップシートで覆われる。このような衛生具においては、吸収体にエンボス加工を施すことが多い。その目的は、吸収体の厚みを薄くして装用の違和感を小さくしたり、吸収体が吸収した経血や尿の拡がりを防止したり、或いは適度な剛性を持たせて装用中の撚れなどの形崩れを防止する等のためである。このエンボス加工は、主として、排泄口に対応する部分以外の領域に設けられる。
【０００３】
エンボスのパターンには従来から種々あるが、いずれも矩形や菱形などの多角形のパターンが多い。例えば、図１５（Ａ）に示すように、矩形の目をもつ格子網パターンを型抜きしたものや、同図（Ｂ）に示すように、菱形の目をもつ格子網パターンを型抜きしたもの、或いは同図（Ｃ）に示すように、隅角で途切れた矩形の目をもつ格子パターンを型抜きしたもの、同図（Ｄ）に示すように六角形の目をもつハニカム状パターンを型抜きしたものである。
【０００４】
【発明が解決しようとする課題】
ところが、これらのパターンによるエンボスを設けると、吸収体を薄くしたり剛性を高めたりすることは実現できるが、弾性的な柔らかさとか、肌の起伏に馴染む変形性能的な柔らかさが失われてしまうという問題があった。特に、従来用いられていたパターンは直線のエンボスラインから成るものが多く、格子網パターンやハニカム状パターンのエンボスラインは、エンボス加工された領域の端から端へ途切れ無く延びる線であるために、エンボスを配置した領域の全体が締め固めた状態になってしまう。さらにエンボスラインによって曲がりの方向が制約されてしまうので、弾性的な柔らかさが殆ど残らす、変形の自由度が大きく失われ、吸収能力も低下させてしまうことになる。
【０００５】
また、ロール間の距離やロール圧を調整して、柔らかさと薄さの両方を実現しようとした場合、吸収体の全体が締め固められてしまい十分な柔らかさを得られなかったり、逆に吸収体の復元によって型押しが不十分で所望の薄さにできなかったりして、吸収体の柔らかさを保ちつつ、所望の薄さにするのは殆ど不可能である。しかも、これら加工条件の調整では、エンボスパターンが直線的であることに起因する変形性能の問題を根本的に解決することはできない。
【０００６】
本発明は上記した従来の問題点に鑑みて為されたものであり、吸収体に柔らかさを残しながら、薄くすることを容易に実現できる新規な吸収性物品を提供することを目的とする。
【０００７】
【課題を解決するための手段】
この目的を達成するために、請求項１に記載した吸収性物品は、不透液性のバックシートと、前記不透液性のバックシートの一方の面に保持された吸収体と、この吸収体を挟んでバックシートに重ねられた透液性の表面シートとから構成された吸収性物品において、
前記透液性の表面シートを含めず前記吸収体に多数の押え用エンボス凹部が形成されるとともに、該押え用エンボス凹部は平面視形状が直線を含まず且つ窪みが無い楕円形状に形成され、前記押え用エンボス凹部は互いに離間して配置されるとともに、排泄口に対応する部分以外の領域に設けられ、かつ前記押え用エンボス凹部は、一定の配列ピッチで並んだ押え用エンボス凹部の列を横に並べるとともに、押え用エンボス凹部の配列位相が隣接する列どうしでずれた状態となっており、
前記排泄口に対応する部分を除く領域の幅方向における中間部と、その両脇の側部とに画成し、前記中間部においては、前記押え用エンボス凹部の向きをその長手方向が吸収性物品の幅方向に沿う向きに配列し、前記側部においては、前記押え用エンボス凹部の向きをその長手方向が吸収性物品の長手方向に沿う向きに配列し、かつ前記中間部における押え用エンボス凹部の前後方向と左右方向の配列ピッチを前記側部における押え用エンボス凹部よりも大きく設定してあることを特徴とするものである。
【０００８】
本発明における押え用エンボス凹部は前記した格子網パターンなどのエンボスラインとは違って、互いにある距離を隔てて独立した凹部を為すので、押え用エンボス凹部で囲まれた部分の吸収体は主としてその上部が押え用エンボス凹部に引っ張られることで厚みを低くできる。このように厚みを低くできる部分はそれ自体が圧搾されることは無く、ほぼ初期の弾性を維持する。従って、吸収体は、押え用エンボス凹部の配置密度が高いほど薄くなり、押え用エンボス凹部のサイズが小さいほど全体的に弾性的柔らかさが多く残ることになるので、この配置密度とサイズを選ぶことによって、弾性的柔らかさと薄さをほぼ各別に調整することができる。基本的には、個々の押え用エンボス凹部のサイズを小さくしてその配置密度を高くすることによって、吸収体に弾性的柔らかさを十分残しながらこれを薄くすることができる。勿論、この配置密度とサイズを部分的に異ならせることで、所望の領域ごとに柔らかさと厚みを調整することができる。
【０００９】
しかも、本発明における押え用エンボス凹部には格子網パターンなどの押え用エンボス凹部がもつ直線の成分が無いので押え用エンボス凹部が連続せず、このため、吸収体が自由な変形性能を失うことが無い。特に、一定の配列ピッチで並んだ押え用エンボス凹部の列を横に並べる場合でも、列上での押え用エンボス凹部の配列位相が隣接する列どうしでずれた状態にすれば、全体的に押え用エンボス凹部の配列方向が一定でなくなるため、吸収体の曲がり方向を制約しないで済む。このことは、押え用エンボス凹部の配置密度を高くする場合に特に有効である。
【００１０】
本発明では、図８に示されるように、前記排泄口に対応する部分（中高部）を除く領域の幅方向における中間部Ｌｏと、その両脇の側部Ｌｓとに画成し、前記中間部Ｌｏにおいては、前記押え用エンボス凹部の向きをその長手方向が吸収性物品の幅方向に沿う向きに配列し、前記側部Ｌｓにおいては、前記押え用エンボス凹部の向きをその長手方向が吸収性物品の長手方向に沿う向きに配列し、かつ前記中間部Ｌｏにおける押え用エンボス凹部の前後方向と左右方向の配列ピッチを前記側部Ｌｓにおける押え用エンボス凹部よりも大きく設定してある。
従って、押え用エンボス凹部のサイズと深さは同じであっても、このエンボス凹部による圧搾面積率は、側部Ｌｓの方が中間部Ｌｏより高いので、図１０に示すように、側部Ｌｓは中間部Ｌｏより相対的に薄くなり、逆に、中間部Ｌｏには側部Ｌｓよりボリューム感と柔らかさが多く残される。これにより、経血排泄口の前側辺りや臀部の窪み辺りに対応した部分には適度な厚みを残しながら、股との接触の違和感を軽減することができる。そして、側部Ｌｓにおけるエンボス凹部４１が吸収体５の前後方向に長い向きとされているので、経血などの横漏れが防止できる。
【００１１】
本発明を実施する場合、吸収体は、積繊パルプのみで構成してもよいし、これをクレープ紙などの保護紙で包んだ構造のものにしてもよいが、押え用エンボス凹部形成による引張り作用をより確実にするためには、積繊パルプを保護紙で包んだ構造にするのが望ましい。また、吸収性物品にトップシートを設ける場合は、そのトップシートを含めてエンボス凹部を形成することも考えられる。
【００１２】
本発明における押え用エンボス凹部の平面視形状は、楕円形であるが、本発明者らが行ったガーレー剛性試験によると、楕円形の押え用エンボス凹部を設けたものは、平均して１．１４という良好な剛性値が得られた。
【００１３】
また、このガーレー剛性試験の結果、押え用エンボス凹部の底面の最大幅が４ｍｍを越えると剛性が急に高くなる傾向が見られたため、この押え用エンボス凹部の底面の最大幅は、請求項２に記載のように４ｍｍ未満であることが望ましい。
【００１４】
更に、押え用エンボス凹部による圧搾面積率を何種類か変えてエンボス加工したものについてガーレー剛度を調査したところによると、請求項３に記載のように３％以上３０％以下で良好な結果が得られた。なお、圧搾面積率とは１つのグループを形成する４つ、５つ等の押え用エンボス凹部の中心を結び、この中心を結ぶ仮想線によって囲まれた部分における押え用エンボス凹部が占める面積を言う。
【００１５】
本発明を実施するに際して、押え用エンボス凹部の形成を型押しローラーで行う場合、そのエンボス形成突起の突出長が１ｍｍ未満であると、押え用エンボス凹部を形成しない領域にもローラー圧力が強く掛かってしまうので、この突出長は、請求項４に記載のように１ｍｍ以上とするのが望ましい。
【００１６】
【発明の実施の形態】
以下に、本発明に係る吸収性物品の詳細を、図面に示した実施の形態によって説明する。図面に示した各実施の形態は、本発明吸収性物品を生理用ナプキンに適用したものである。
【００１７】
〔１．第一の実施の形態〕（図１〜図４）
図１から図４は、第一の実施の形態に係る生理用ナプキン１を示すものである。
〔Ａ．基本的構造〕（図１）
生理用ナプキン１は、不透液性のバックシート３と、このバックシート３の一方の面に保持された吸収体５と、この吸収体５を挟んでバックシート３に重ねられた透液性の図示しないトップシートとから構成されている。
【００１８】
バックシート３は薄手のポリエチレンシートやポリエチレンラミネート不織布等から成り、望ましくは、不透液性且つ透湿性のもの、例えばポリエチレンやポリプロピレン等のオレフィン系樹脂に無機充填剤を溶融混練したものを延伸処理した微多孔性シートにより形成される。図示しないトップシートは、不織布や多数の孔を形成したプラスチック製のメッシュシートなどで形成されている。
【００１９】
吸収体５は、綿状パルプや合成パルプ等を坪量２００〜３００ｇ／平方メートル程度に積層した積繊パルプ７の全体を薄い保護紙９（図２では図示を省略してある）で包んだものであって、後述するエンボス加工を施される前の状態においては、全面ほぼ均一な厚さのシート状を為すように形成されている。保護紙９は、積繊パルプ７の形状を保持すると共に吸収した体液の拡散を防止するためのもので、例えばクレープ紙などを用いる。
【００２０】
バックシート３の展開形状は、前後方向に延びる概ね瓢箪形の主たる部分３ａと、この主たる部分３ａの左右両側端のほぼ中間位置から互いに反対側へ向けて台形状に張り出した羽様を為す部分３ｂとから成る形をしている。吸収体５は、前後方向に延びる長方形状をしており、バックシート３の主たる部分３ａよりほぼ一回り程度小さく、吸収体５の前後両端縁は互いに反対方向へ膨らむ円弧形に屈曲している。この吸収体５の左右幅は成人女性の股間隔に対応して概ね５０〜８０ミリ程度にしてある。このような吸収体５は、ホットメルトなどの接着剤によってバックシート３に接着される。
【００２１】
図示しないトップシートは、バックシート３と同じ形状及び大きさを有し、その外周部とバックシート３の外周部とがホットメルトなどの接着剤やヒートシールなどによって接合される。
【００２２】
吸収体５には、全体的に見てライン状を為す縁取り用エンボス凹部１１と、主として吸収体５を薄くするための多数の押え用エンボス凹部１３が形成されている。縁取り用エンボス凹部１１は、吸収体５のほぼ中央部に位置する長円形の中高部１５や前後両端の端高部１７（図１のみに示してある）をその他の部分に対して盛り上がった形に残すためのものであり、短い直線状の凹部を小さなピッチで多数配列することで設けられている。中高部１５は経血の排泄口に対応した部分に形成されている。
【００２３】
〔Ｂ．押え用エンボス凹部〕（図２〜図４）
〔Ｂ−１．押え用エンボス凹部の形態〕
押え用エンボス凹部１３は、直径３ｍｍ程度の真円形（図３参照）を為す円形押し形状のもので、前後方向と左右方向へそれぞれ一定のピッチで配列されるように設けられている。即ち、図３（Ｂ）に示すように、押え用エンボス凹部１３は、前後方向では約１２ｍｍピッチで直線上に並び、この直線上に並んだ列が左右方向で９．７５ｍｍピッチで配列されており、この列どうしの前後方向での位相は交互に６ｍｍ程度ずらしてある。従って、押え用エンボス凹部１３は、互いにある距離を隔てて独立しており、吸収体５のうち中高部１５を除く部分のほぼ全体にほぼ均一な密度で設けられている。
【００２４】
押え用エンボス凹部１３はこのように設けられているので、吸収体５のうちこの押え用エンボス凹部１３が設けられた領域における圧搾面積率は、約６％となる。即ち、図３（Ｂ）において破線で示す矩形の面積において押え用エンボス凹部１３が占める割合は約７パーセントである。
【００２５】
〔Ｂ−２．押え用エンボス凹部の加工〕（図１４）
図１４に押え用エンボス凹部１３を形成するための型押しローラーの一例２１を示す。同図において、２２はエンボスローラーを示し、２３はアンビルローラーを示す。エンボスローラー２２はエンボス形成突起２２ａを有している。このエンボス形成突起２２ａの突出長は１ｍｍかそれよりやや長くなっている。このエンボスローラー２２とアンビルローラー２３との間にその入口から吸収体５を通すことで、吸収体５の所要の領域に押え用エンボス凹部１３が形成される。
【００２６】
〔Ｂ−３．押え用エンボス凹部の効果〕（図４）
図４は吸収体５のうち押え用エンボス凹部１３が形成された領域の垂直断面を示すもので、図中の記号Ｔはエンボス加工を施される前の吸収体５の厚さを示し、記号ｔはエンボス加工を施された後の厚さを示す。同図に示すように、吸収体５に押え用エンボス凹部１３が形成されると、吸収体５はエンボス凹部１３に対応した部分が圧搾される。そして、４つのエンボス凹部１３で囲まれた部分は、主としてその上部がエンボス凹部１３に引っ張られることで表面がアーチ状に変形して薄くなる。これらによって、厚さが薄くなると共に剛性が高まる。そして、表面がアーチ状に変形して薄くなった部分は、それ自体が圧搾されることは無く、ほぼ初期の弾性を維持するので、全体的には弾性的な柔らかさを失うことは殆ど無い。
【００２７】
しかも、このエンボス凹部１３による引張りの方向には、直線状のエンボスラインのような規則性がないので、エンボス凹部１３が形成された領域で吸収体５の曲がりの方向が制約されることは無く、自由な変形性能を維持する。特に、この押え用エンボス凹部１３の配列パターンは、その列どうしの位相を前記したようにずらしてあるため、左右方向や斜めの方向において直線上で隣接するエンボス凹部１３を結ぶ間隔が大きくなり、従って、吸収体５の曲げの方向性が特定されることは殆ど無く、変形性能を十分残すことができる。
【００２８】
〔２．第二の実施の形態〕（図５〜図７）
図５から図７は、第二の実施の形態に係る生理用ナプキン１Ａを示すものである。この生理用ナプキン１Ａが第一の実施の形態に示した生理用ナプキン１と比較して構造上相違するところは、押え用エンボス凹部のサイズと密度だけである。従って、説明はこの相違点だけについて行い、その他の部分については、図面の各部に生理用ナプキン１における同様の部位に付した符号と同じ符号を付すことで説明を省略する。このような符号の使い方とその意味は、後述する第三及び第四の実施の形態においても同様とする。
【００２９】
生理用ナプキン１Ａにおける押え用エンボス凹部３１も真円形を為す形押し形状のものであるが、その直径は、押え用エンボス凹部１３の直径の３分の２程度である約２ｍｍにしてあり、前後方向と左右方向での配列ピッチも３分の２程度にしてある。即ち、図６（Ｂ）に示すように、押え用エンボス凹部３１は、前後方向では約８ｍｍピッチで直線上に並び、この直線上に並んだ列が左右方向で約６．５ｍｍピッチで配列されており、この列どうしの前後方向での位相は交互に４ｍｍ程度ずらしてある。この押え用エンボス凹部３１の形成に使用した型押しローラーのエンボス形成突起の突出長は、生理用ナプキン１の場合と同じにした。
【００３０】
このように、生理用ナプキン１Ａにおける押え用エンボス凹部３１は、生理用ナプキン１の場合に較べて、深さは変えずに、より小さいサイズでより小さいピッチで設けてあるので、圧搾面積率は生理用ナプキン１における圧搾面積率とほぼ同じであるが、エンボス加工後の吸収体５の厚さｔ１は、生理用ナプキン１における厚さｔより小さくなる。
【００３１】
〔３．第三の実施の形態〕（図８〜図１０）
図８から図１０は、第三の実施の形態に係る生理用ナプキン１Ｂを示すものである。この生理用ナプキン１Ｂが前記第一の実施の形態に示した生理用ナプキン１と比較して構造上相違するところは、押え用エンボス凹部の形等である。
【００３２】
この生理用ナプキン１Ｂにおける押え用エンボス凹部４１は、長径と短径の比率が５：１である細身の楕円形をした形押し形状のものであり、具体的には、図９に示すように、長径が約４ｍｍ、短径が約０．８ｍｍである。
【００３３】
押え用エンボス凹部４１は、吸収体５の中高部１５を除く領域のほぼ全体に設けられている。押え用エンボス凹部４１の向きと密度は、中高部１５を除く領域の幅方向における中間部Ｌｏとその両脇の側部Ｌｓとで異なっている。即ち、側部Ｌｓにおいては、押え用エンボス凹部４１の向きをその長手方向が生理用ナプキン１Ｂの長手方向に沿う向きにして、前後方向では約１０ｍｍピッチで直線上に並べ、この直線上に並んだ列を左右方向で約３ｍｍピッチで配列されており、この列どうしの前後方向での位相は交互に５ｍｍ程度ずらしてある。これに対し、中間部Ｌｏにおいては、押え用エンボス凹部４１の向きをその長手方向が生理用ナプキン１Ｂの幅方向に沿う向きにして配列してあり、前後方向と左右方向の配列ピッチは側部Ｌｓにおけるそれらピッチより大きくしてある。
【００３４】
従って、押え用エンボス凹部４１のサイズと深さは同じであっても、このエンボス凹部４１による圧搾面積率は、側部Ｌｓの方が中間部Ｌｏより高いので、図１０に示すように、側部Ｌｓは中間部Ｌｏより相対的に薄くなり、逆に、中間部Ｌｏには側部Ｌｓよりボリューム感と柔らかさが多く残される。これにより、経血排泄口の前側辺りや臀部の窪み辺りに対応した部分には適度な厚みを残しながら、股との接触の違和感を軽減することができる。そして、側部Ｌｓにおけるエンボス凹部４１が吸収体５の前後方向に長い向きとされているので、経血などの横漏れが防止できる。
【００３５】
〔４．第四の実施の形態〕（図１１〜図１３）
図１１から図１３は、第四の実施の形態に係る生理用ナプキン１Ｃを示すものである。この生理用ナプキン１Ｃの吸収体５に設けられている押え用エンボス凹部５１も楕円形であるが、生理用ナプキン１Ｂにおける押え用エンボス凹部４１より丸みが大きく、長径は約２ｍｍ、短径は約１ｍｍにしてある。
【００３６】
この押え用エンボス凹部５１は、吸収体５の中高部１５を除く領域のほぼ全体に形成されている。押え用エンボス凹部５１の長手方向が生理用ナプキン１Ｃの前後方向を向くように設けてある。また、押え用エンボス凹部５１の密度が、前記領域の幅方向における中間部Ｌｏとその両脇の側部Ｌｓとで異なっている。さらに押え用エンボス凹部５１の密度は、中間部Ｌｏの中でも異なっている。即ち、側部Ｌｓにおいては、前後方向では約４ｍｍピッチで直線上に並べ、この直線上に並んだ列を左右方向で約２ｍｍピッチで配列してあり、この列どうしの前後方向での位相は交互に２ｍｍ程度ずらしてある。一方、中間部Ｌｏにおいては、前後方向と左右方向の配列ピッチが、吸収体５の前後方向での端に近づくに従って小さくなるようにしてあり、この端におけるピッチは側部Ｌｓにおけるピッチとほぼ同じである。
【００３７】
従って、押え用エンボス凹部５１のサイズと深さは同じであっても、このエンボス凹部４１による圧搾面積率は、中間部Ｌｏの端部と側部Ｌｓの全体において最も高く、中間部Ｌｏのうち中高部１５に近い位置で圧搾面積率が最も低くなる。よって、中間部Ｌｏの厚さは、図１３に示すように、前後方向の端へ行くに従って薄くなり、中高部１５に近いところではボリューム感と柔らかさが多く残される。これにより、吸収体５の厚さは中高部１５とその前後両脇の部分に多く残されて吸収能力が確保される。
【００３８】
以上、本発明の実施の形態を説明したが、本発明の具体的構成がこの実施の形態に限定されるものでは無く、本発明の要旨から外れない範囲での設計変更等があっても本発明に含まれる。例えば、図面に示した各実施の形態においては、それぞれ、エンボス凹部の形状やサイズを同じにしたが、吸収体の各領域に求める性能の違いに応じてエンボス凹部の形やサイズを異ならせるようにしてもよい。また、吸収体はポリマーを含むもの、含まないもののいずれであってもよい。さらに上記実施の形態では、吸として綿状パルプや合成パルプ等の坪量２００〜３００ｇ／平方メートル程度に積層したが、この坪量は１５０〜４００ｇ／平方メートルの範囲で適宜調節してもよい。
【００３９】
また、本発明における不透液性シートや吸収体の形状、それらの材料などが実施の形態に示したものに限られることは無く、側部等にギャザーを設けたタイプのものにも適用できることは勿論である。そして、本発明は、生理用ナプキンに限らず、紙おむつ等各種の吸収性物品に広く適用することができる。
【００４０】
【発明の効果】
以上のように本発明によれば、吸収体に弾性的及び変形性能的な柔らかさを残しながらシート厚を薄くすることを容易に実現できる。
【図面の簡単な説明】
【図１】本発明を適用した生理用ナプキンの第一の実施の形態を示す全体斜視図である。
【図２】図１の生理用ナプキンの要部を示す平面図である。
【図３】図１に示す生理用ナプキンの吸収体に設けられたエンボス凹部を拡大したものであって、（Ａ）はエンボス凹部１個の平面図、（Ｂ）はエンボス凹部を数個まとめて示す平面図である。
【図４】図３（Ｂ）のＡ−Ａ線に沿って切断した拡大断面図である。
【図５】本発明を適用した生理用ナプキンの第二の実施の形態を示すもので、要部の平面図である。
【図６】図５に示す吸収体に設けられたエンボス凹部を拡大したものであって、（Ａ）はエンボス凹部１個の平面図、（Ｂ）はエンボス凹部を数個まとめて示す平面図である。
【図７】図６（Ｂ）のＢ−Ｂ線に沿って切断した拡大断面図である。
【図８】本発明を適用した生理用ナプキンの第三の実施の形態を示すもので、要部の平面図である。
【図９】図８に示す吸収体に設けられたエンボス凹部を拡大したものであって、（Ａ）はエンボス凹部１個の平面図、（Ｂ）はエンボス凹部を数個まとめて示す平面図である。
【図１０】図８のＣ−Ｃ線に沿って切断した拡大断面図である。
【図１１】本発明を適用した生理用ナプキンの第四の実施の形態を示すもので、要部の平面図である。
【図１２】図１１に示す吸収体に設けられたエンボス凹部を拡大したものであって、（Ａ）はエンボス凹部１個の平面図、（Ｂ）はエンボス凹部を数個まとめて示す平面図である。
【図１３】図１１のＤ−Ｄ線に沿って切断した拡大断面図である。
【図１４】第一から第四の実施の形態に示す生理用ナプキンのエンボス凹部を形成するための型押しローラーを示す要部断面図である。
【図１５】従来の生理用ナプキンに設けられているエンボスパターンの例を４つ示す図である。
【符号の説明】
【００４１】
１…吸収性物品、３…不透液性シート、５…吸収体、１１…縁取り用エンボス凹部、１３…押え用エンボス凹部、１５…排泄口に対応した領域、２２…エンボスローラー、２２ａ…エンボス形成突起、１Ａ…吸収性物品（生理用ナプキン）、３１…押え用エンボス凹部、１Ｂ…吸収性物品（生理用ナプキン）、４１…押え用エンボス凹部、１Ｃ…吸収性物品（生理用ナプキン）、５１…押え用エンボス凹部
【図１】
0004628603.tif 000002
【図２】
0004628603.tif 000003
【図３】
0004628603.tif 000004
【図４】
0004628603.tif 000005
【図５】
0004628603.tif 000006
【図６】
0004628603.tif 000007
【図７】
0004628603.tif 000008
【図８】
0004628603.tif 000009
【図９】
0004628603.tif 000010
【図１０】
0004628603.tif 000011
【図１１】
0004628603.tif 000012
【図１２】
0004628603.tif 000013
【図１３】
0004628603.tif 000014
【図１４】
0004628603.tif 000015
【図１５】
0004628603.tif 000016